(57)【要約】【課題】  聴取位置を限定しないスピーカ装置及び再生装置を実現する。【解決手段】  略回転楕円体でなる筐体２と、筐体２の長軸方向の左端部及び右端部に、この筐体２の外側に向けて取り付けられた左スピーカ５Ａ及び右スピーカ５Ｂとを設けるようにしたことにより、左スピーカ５Ａ及び右スピーカ５Ｂがほぼ点音源となり、これら左スピーカ５Ａ及び右スピーカ５Ｂから出力する音を、筐体２を中心として周辺の空間へ放射状に滑らかに広げることができるので、筐体周辺のどの位置からでも聴取者に対して良好な音声を聴かせることができる。【選択図】          図１
2006345466.tif 000002
【特許請求の範囲】
【請求項１】
略回転楕円体でなる筐体と、
上記筐体の長軸方向の一端部に当該筐体の外側へ振動板の前面を向けて取り付けられた第１のスピーカと、
上記筐体の上記長軸方向の他端部に当該筐体の外側へ振動板の前面を向けて取り付けられた第２のスピーカと
を具えることを特徴とするスピーカ装置。
【請求項２】
上記筐体の表面に突出するように設けられた複数の筐体支持部
を具えることを特徴とする請求項１に記載のスピーカ装置。
【請求項３】
上記筐体支持部は、
上記筐体の長軸を中心軸とする円環でなる
ことを特徴とする請求項２に記載のスピーカ装置。
【請求項４】
上記第１のスピーカ及び第２のスピーカは、
上記筐体の長軸上に取り付けられた
ことを特徴とする請求項１に記載のスピーカ装置。
【請求項５】
上記第１のスピーカ及び第２のスピーカは、
上記筐体の長軸からずらした位置に取り付けられた
ことを特徴とする請求項１に記載のスピーカ装置。
【請求項６】
略回転楕円体でなる筐体と、
上記筐体の長軸方向の一端部に当該筐体の外側へ振動板の前面を向けて取り付けられた第１のスピーカと、
上記筐体の上記長軸方向の他端部に当該筐体の外側へ振動板の前面を向けて取り付けられた第２のスピーカと、
音声データを記憶する記憶部と、
上記記憶部に記録された上記音声データを読み出して音声信号に変換し、当該変換した上記音声信号を上記第１のスピーカ及び上記第２のスピーカから出力させる再生部と
を具えることを特徴とする再生装置。
【請求項７】
略回転楕円体でなる筐体と、
上記筐体の長軸方向の一端部に当該筐体の外側へ振動板の前面を向けて取り付けられた第１のスピーカと、
上記筐体の上記長軸方向の他端部に当該筐体の外側へ振動板の前面を向けて取り付けられた第２のスピーカと、
音声データを受信する受信部と、
上記受信部で受信された上記音声データを読み出して音声信号に変換し、当該変換した上記音声信号を上記第１のスピーカ及び上記第２のスピーカから出力させる再生部と
を具えることを特徴とする再生装置。
【発明の詳細な説明】
【技術分野】
【０００１】
本発明はスピーカ装置及び再生装置に関し、例えばステレオスピーカ装置に適用して好適なものである。
【背景技術】
【０００２】
従来、ステレオスピーカ装置として、左チャンネル用の音声を出力する左チャンネル用スピーカ装置と、右チャンネル用の音声を出力する右チャンネル用スピーカ装置とを１組とする左右独立型のステレオスピーカ装置が広く知られている。
【０００３】
このようなステレオスピーカ装置の場合、左チャンネル用スピーカ装置を聴取者から見て左側に、右チャンネル用スピーカ装置を聴取者から見て右側に配置することで、これら左チャンネル用スピーカ装置及び右チャンネル用スピーカ装置の正面に位置する聴取者に対して、ステレオ音声を聴かせ得るようになされている。
【０００４】
しかしながら、このようなステレオスピーカ装置でステレオ音声を聴く場合、左チャンネル用スピーカ装置及び右チャンネル用スピーカ装置の正面で、且つ左チャンネル用スピーカ装置からの距離と右チャンネル用スピーカ装置からの距離とが等しい位置でなければ、ステレオ感を得ることができない。すなわち、このようなステレオスピーカ装置では、良好なステレオ音声を聴取し得る位置（以下、これを聴取位置とも呼ぶ）の範囲が限定されていた。
【０００５】
そこで近年、スピーカボックスの正面方向に対して、反時計方向及び時計方向に所定の角度だけ傾斜するようにスピーカの振動板を取り付けることにより、聴取位置の範囲を拡大した左右独立型のステレオスピーカ装置等が提案されている（例えば特許文献１参照）。
【特許文献１】特開平９−９８４９５号公報（第１図）
【発明の開示】
【発明が解決しようとする課題】
【０００６】
しかしながら、上述のようなステレオスピーカ装置も、聴取位置の範囲をある程度拡大させ得るものの、結局のところ、聴取位置を限定するものであった。このように、従来のスピーカ装置では、聴取位置が限定されるという問題があった。
【０００７】
本発明は以上の点を考慮してなされたもので、聴取位置を限定しないスピーカ装置及び再生装置を提案しようとするものである。
【課題を解決するための手段】
【０００８】
かかる課題を解決するため本発明においては、外形が略回転楕円体でなる筐体と、筐体の長軸方向の一端部に当該筐体の外側へ振動板の前面を向けて取り付けられた第１のスピーカと、筐体の長軸方向の他端部に当該筐体の外側へ振動板の前面を向けて取り付けられた第２のスピーカとを設けるようにした。
【０００９】
これにより、第１のスピーカ及び第２のスピーカがほぼ点音源となり、これら第１のスピーカ及び第２のスピーカから出力する音声を、筐体を中心として周辺の空間へ放射状に滑らかに広げることができる。
【発明の効果】
【００１０】
本発明によれば、略回転楕円体でなる筐体と、筐体の長軸方向の一端部に当該筐体の外側へ振動板の前面を向けて取り付けられた第１のスピーカと、筐体の長軸方向の他端部に当該筐体の外側へ振動板の前面を向けて取り付けられた第２のスピーカとを設けるようにしたことにより、第１のスピーカ及び第２のスピーカがほぼ点音源となり、これら第１のスピーカ及び第２のスピーカから出力する音声を、筐体を中心として周辺の空間へ放射状に滑らかに広げることができる。すなわち本発明によれば、滑らかで広い指向特性が得られるので、筐体周辺のどの位置からでも聴取者に対して良好な音声を聴かせることができ、かくして聴取位置を限定しないスピーカ装置及び再生装置を実現することができる。
【発明を実施するための最良の形態】
【００１１】
以下図面について、本発明の一実施の形態を詳述する。
【００１２】
（１）ステレオスピーカ装置の外観構成
図１において、１は全体としてアンプ内蔵のステレオスピーカ装置を示し、中空の回転楕円体でなる筐体（以下、これを回転楕円体状筐体と呼ぶ）２を有している。またこの回転楕円体状筐体２は、当該回転楕円体状筐体２から、回転楕円体の長軸を垂線とし中心点Ｇからそれぞれ等距離に位置する一面及び他面を切断面として、回転楕円体の長軸方向の一端部及び他端部を切り落とした残りの中央部分でなる筐体中央部３と、当該筐体中央部３の一端部側及び他端部側の切断面にそれぞれ形成される円形の開口３Ａ及び３Ｂを覆うようにして、当該筐体中央部３の切断面に連設される円蓋状の筐体一端部４Ａ及び筐体他端部４Ｂとからなり、これら筐体中央部３と筐体一端部４Ａ及び筐体他端部４Ｂとにより全体として回転楕円体の外観をなしている。
【００１３】
また、ここでは、回転楕円体状筐体２の長軸を水平な中心軸（以下、これを筐体中心軸とも呼ぶ）とし、筐体一端部４Ａを左側、筐体他端部４Ｂを右側とする向きから見える部分をステレオスピーカ装置１の前面とすると共に、筐体一端部４Ａ及び筐体他端部４Ｂをそれぞれ筐体左端部４Ａ及び筐体右端部４Ｂと呼び、また開口３Ａ及び３Ｂをそれぞれ左側開口３Ａ及び右側開口３Ｂと呼ぶことにする。
【００１４】
筐体中央部３には、その内部に、左側開口３Ａを塞ぐように左側開口３Ａから円盤状でなる振動板の前面を外部に露出させる左チャンネル音声用のスピーカ（以下、これを左スピーカとも呼ぶ）５Ａと、右側開口３Ｂを塞ぐように右側開口３Ｂから円盤状でなる振動板の前面を外部に露出させる右チャンネル音声用のスピーカ（以下、これを右スピーカとも呼ぶ）５Ｂとが、それぞれの振動板の後面を向き合わせるようにして、筐体中心軸上の中心から等距離の位置に１８０度対向するように設けられている。つまり、筐体中央部３は、左スピーカ５Ａの振動板の周縁からこの振動板の後方に延びる滑らかな曲面で形成されるほぼ半回転楕円体のバフルと、右スピーカ５Ｂの振動板の周縁からこの振動板の後方に延びる滑らかな曲面で形成されるほぼ半回転楕円体のバフルとを、左スピーカ５Ａ及び右スピーカ５Ｂそれぞれの振動板の後面を向き合わせるようにして継目なく繋げた形状と言える。
【００１５】
またこの筐体中央部３には、筐体中心軸を垂線とし中心点Ｇから等距離に位置する左側仮想平面Ｆ１及び右側仮想平面Ｆ２上で筐体中央部３の外周を一周するように突出させた円環状で同形の左側筐体支持部６Ａ及び右側筐体支持部６Ｂが設けられている。
【００１６】
この円環状の左側筐体支持部６Ａ及び右側筐体支持部６Ｂは、内周よりも外周の幅を狭くした断面半円形状でなり、且つ筐体中央部３の筐体中心軸周りの最大外径よりも僅かに大きな（例えば数ｍｍ程度大きな）外径を有する。これによりステレオスピーカ装置１は、テーブル等に載上される場合、左側筐体支持部６Ａの最外周上の１点と右側筐体支持部６Ｂの最外周上の１点との２点を載上面に接触させ、この２点で筐体中央部３を載上面から僅かに浮かせた状態で水平に支持し得るようになされている。このようにステレオスピーカ装置１では、載上面と接触する部分を極力小さくすることで、回転楕円体状筐体２自体の振動を載上面に伝わりにくくすることができる。
【００１７】
またステレオスピーカ装置１では、筐体中央部３を、円環状の左側筐体支持部６Ａ及び右側筐体支持部６Ｂにより載上面から僅かに浮かせた状態で支持し得るので、左スピーカ５Ａ及び右スピーカ５Ｂの位置を載上面に極力近付けることができる。この結果、ステレオスピーカ装置１では、例えば載上面が音波の反射性の比較的良い硬い材質で作られている場合、かかる載上面のバフル効果を利用して、左スピーカ５Ａ及び右スピーカ５Ｂから出力される低音を強調し得るようにもなされている。因みにバフル効果とは、実際の左スピーカ５Ａ及び右スピーカ５Ｂから放射される音波を、これに近接する載上面で反射させることで、かかる左スピーカ５Ａ及び右スピーカ５Ｂの位置と共に、あたかも当該左スピーカ５Ａ及び右スピーカ５Ｂと載上面を介して面対象な位置からも音波を放射させているようにして、両位置の距離と音波の波長との比で決定される低音域を２倍に強調（すなわち、左スピーカ５Ａ及び右スピーカ５Ｂから放射される低音域の直接音に対し、これが載上面で反射して得られる反射音をほぼ同相で加算する）するような作用である。
【００１８】
さらに筐体中央部３には、その内部中央下側に重り７が設けられ、この重り７により筐体中央部３の重心を下げるようになされている。これによりステレオスピーカ装置１は、左側筐体支持部６Ａ外周及び右側筐体支持部６Ｂ外周の２点接触でありながら、いわゆる起き上がりこぼしの要領で、筐体中央部３の姿勢を水平に、且つ筐体中心軸周りに回転しないように保持し得るようになされている。ところで左スピーカ５Ａ及び右スピーカ５Ｂの振動板は、音声の放音時、当該振動板の前面及び後面が向いている筐体中心軸に沿う方向に振動する。このため左側筐体支持部６Ａ及び右側筐体支持部６Ｂは、載上面に対し、筐体中心軸と平行な方向に沿って並ぶ２つの接触点によりステレオスピーカ装置１を支持している。すなわち左側筐体支持部６Ａ及び右側筐体支持部６Ｂは、音声の出力時に左スピーカ５Ａ及び右スピーカ５Ｂの振動板における筐体中心軸に沿った方向の振動が筐体中央部３に伝わっても、当該筐体中央部３自体が振動することを、載上面に対する左側筐体支持部６Ａ及び右側筐体支持部６Ｂの２つの接触点により規制することができる。つまり、ステレオスピーカ装置１は、テーブル等に載上されて静止した状態で音声データを再生しても動くことなく、左スピーカ５Ａ及び右スピーカ５Ｂから左チャンネル用音声及び右チャンネル用音声を出力することができる。なお、かかる実施の形態では一例として左側筐体支持部６Ａ及び右側筐体支持部６Ｂの素材として、ゴム、又はシリコン等の弾性体を用いたが、載上面との接触面積が極力小さければ、その素材は金属やプラスチック等の硬質材を用いても良い。
【００１９】
一方、円蓋状の筐体左端部４Ａ及び筐体右端部４Ｂは、十時型の格子を円蓋状に折り曲げた形状でなり、それぞれ左側開口３Ａ及び右側開口３Ｂを覆うように筐体中央部３に設けられることで、これら左側開口３Ａ及び右側開口３Ｂから露出する左チャンネル用スピーカ５Ａ及び右チャンネル用スピーカ５Ｂより出力される音を遮らずに、これら左チャンネル用スピーカ５Ａ及び右チャンネル用スピーカ５Ｂを保護するようになされている。またこれら筐体左端部４Ａ及び筐体右端部４Ｂは、その格子形状による音質補正機能も兼ねている。すなわち、これら筐体左端部４Ａ及び筐体右端部４Ｂは、いわゆるスピーカグリルとしての保護機能、イコライザとしての周波数特性補正機能を兼ね備えている。
【００２０】
（２）ステレオスピーカ装置の内部構成
続いて、このステレオスピーカ装置１の内部構成について図２を用いて説明する。因みに図２は、回転楕円体状筐体２を前後に２分する仮想平面で切断した場合の断面図である。この図２に示すように、筐体中央部３の内部には、筐体中心軸を垂線とする２枚の仕切板８Ａ及び８Ｂが、中心点から左右等距離の位置に設けられている。ここで、左側の仕切板８Ａを左側仕切板８Ａと呼び、右側の仕切板８Ｂを右側仕切板８Ｂと呼ぶことにする。
【００２１】
このような左側仕切板８Ａ及び右側仕切板８Ｂにより筐体中央部３の内部は、左側仕切板８Ａと右側仕切板８Ｂとの間に位置する中央格納室９Ａ、左側仕切板８Ａの左側に位置する左側格納室９Ｂ、及び右側仕切板８Ｂの右側に位置し左側格納室９Ｂと同じ大きさでなる右側格納室９Ｃに区切られている。
【００２２】
このうち中央格納室９Ａには、重り７とアンプ等でなる回路部１０とが格納される。ここで重り７は、例えば回路部１０の電源となるバッテリで代用し得る。また左側格納室９Ｂには、左側開口３Ａから振動板の前面のみを露出させるようにして左チャンネル用スピーカ５Ａが格納され、また右側格納室９Ｃには、右側開口３Ｂから振動板の前面のみを露出させるようにして右チャンネル用スピーカ５Ｂが格納される。すなわち、これら左側格納室９Ｂ及び右側格納室９Ｃは、それぞれ左チャンネル用スピーカ５Ａ及び右チャンネル用スピーカ５Ｂのスピーカボックスとなり、互いに同形状、同容量であることにより、同一の周波数特性が得られるようになされている。
【００２３】
（３）動作及び効果
以上の構成において、ステレオスピーカ装置１は、図示しない外部入力端子を介して外部機器からステレオ音声信号が入力されると、このステレオ音声信号を回路部１０で増幅した後、増幅したステレオ音声信号のうちの左チャンネル用音声信号を左スピーカ５Ａに送出すると共に、右チャンネル用音声信号を右スピーカ５Ｂに送出する。
【００２４】
この結果、ステレオスピーカ装置１は、左スピーカ５Ａから左チャンネル用音声信号に基づく左チャンネル用音声を出力すると共に、右スピーカ５Ｂから右チャンネル用音声信号に基づく右チャンネル用音声を出力する。
【００２５】
ここで、例えばステレオスピーカ装置１をテーブル等に載上した状態で、左スピーカ５Ａ及び右スピーカ５Ｂからステレオ音声を出力させた場合の、回転楕円体状筐体２の表面の音圧レベル分布、及び当該回転楕円体状筐体２周辺の空間の音圧レベル分布を測定した結果を以下に示す。
【００２６】
実際上この測定では、図３に示すように、回転楕円体状筐体２の左端から右端までの長さ（すなわち長軸の長さ）を９４［ｍｍ］、筐体中央部３の左端から右端までの長さ（すなわち左側開口３Ａから右側開口３Ｂまでの長さ）を８２．８［ｍｍ］、左側筐体支持部６Ａの最外周と右側筐体支持部６Ｂの最外周との間隔を２６．５［ｍｍ］、左側筐体支持部６Ａ及び右側筐体支持部６Ｂの幅を３．５［ｍｍ］、左側筐体支持部６Ａ及び右側筐体支持部６Ｂの外径を６３［ｍｍ］、筐体中央部３の筐体中心軸周りの最大外径を５９．２［ｍｍ］、左スピーカ５Ａ及び右スピーカ５Ｂの振動板の直径を２５［ｍｍ］とするステレオスピーカ装置１を使用した。因みに、説明の便宜上、回転楕円体状筐体２の左端から右端へ向かう方向をｘ方向、下端から上端へ向かう方向をｙ方向、後面から前面へ向かう方向をｚ方向と定義する。
【００２７】
またここでは、音圧レベル分布を所定の測定周波数１０［ｋＨｚ］、５［Ｈｚ］、２［ｋＨｚ］、１［ｋＨｚ］及び５００［Ｈｚ］毎に測定した。因みにかかる測定では、左スピーカ５Ａ及び右スピーカ５Ｂに対し、等レベル及び同位相の左チャンネル用音声信号及び右チャンネル用音声信号を与えた。
【００２８】
まず、これら測定周波数毎に測定した回転楕円体状筐体２の表面の音圧レベル分布を図４乃至図８に示す。ここで、図４、図５、図６、図７及び図８は、それぞれ測定周波数１０［ｋＨｚ］、５［Ｈｚ］、２［ｋＨｚ］、１［ｋＨｚ］及び５００［Ｈｚ］での音圧レベル分布を示すものである。
【００２９】
これら図４乃至図８に示すように、回転楕円体状筐体２表面の音圧レベル（ｄＢ）は、各測定周波数で、左スピーカ５Ａ近傍の左端、及び右スピーカ５Ｂ近傍の右端で最大となり、これら左スピーカ５Ａ近傍の左端、及び右スピーカ５Ｂ近傍の右端から、回転楕円体状筐体２の中央に向かうにつれて滑らかに減衰する。よって、この測定結果から、ステレオスピーカ装置１では、回転楕円体状筐体２表面による音の回折効果を減少させて音質を向上させ得ることが解る。また回転楕円体状筐体２表面の音圧レベルは、何れの測定周波数においてもｙ方向、すなわち回転楕円体状筐体２の下端から上端に向かう方向に滑らかに減衰している。かかる測定結果は、ステレオスピーカ装置１を例えばテーブルに載上した状態で音圧レベルを測定したために、当該テーブルが一種のバフル効果を奏し、左スピーカ５Ａ及び右スピーカ５Ｂから放射されテーブルで反射した音波（すなわち、左チャンネル用音声及び右チャンネル用音声）が、当該左スピーカ５Ａ及び右スピーカ５Ｂから放射された音波（すなわち、テーブル等では反射していない直接音）にほぼ同相で加算され、その結果、回転楕円体状筐体２の下端側の音圧レベルが高まったことにより得られたものである。かかるバフル効果は、特に音波の波長が比較的長い低音域において有効に作用する。
【００３０】
続いて測定周波数１０［ｋＨｚ］、５［Ｈｚ］、２［ｋＨｚ］、１［ｋＨｚ］及び５００［Ｈｚ］毎に測定した回転楕円体状筐体２近辺の空間の音圧レベル分布を図９乃至図２３に示す。因みに図９乃至図２３は、回転楕円体状筐体２前後の空間の音圧レベル分布を測定周波数毎に回転楕円体状筐体２を中心としたｙｚ平面で示すと共に、当該回転楕円体状筐体２左右の空間の音圧レベル分布を測定周波数毎に回転楕円体状筐体２を中心としたｘｙ平面で示し、さらに回転楕円体状筐体２周囲の空間の音圧レベル分布を測定周波数毎に回転楕円体状筐体２を中心としたｚｘ平面で示している。
【００３１】
図９乃至図２３に示すように、かかる測定結果によれば、測定周波数が５００［Ｈｚ］の低音域から１［ｋＨｚ］及び２［ｋＨｚ］の中音域までの音圧レベルは、回転楕円体状筐体２近傍で最大となり、当該回転楕円体状筐体２を中心とした各方向ともほぼ同じように回転楕円体状筐体２から離れるにつれて比較的滑らかに減衰する。また測定周波数が５［ｋＨｚ］及び１０［ｋＨｚ］の高音域での音圧レベルは、線状に比較的高くなる部分もあるが、全体的には回転楕円体状筐体２近傍で最大となり、回転楕円体状筐体２から離れるにつれて比較的滑らかに減衰する。ここで音圧レベルが線状に比較的高くなる部分は、音波に対するビーム状の指向性が強く現れていることを示しており、左スピーカ５Ａ及び右スピーカ５Ｂから放射される音波の干渉に起因して生じると考えられる。しかしながら高音域での音圧レベル分布を見ると、回転楕円体状筐体２近辺の空間では、回転楕円体状筐体２を中心とした特定方向に音圧レベルの高い部分が偏ることはなく、音波に対するビーム状の指向性が、回転楕円体状筐体２を中心としてほぼ均等な間隔で現れている。
【００３２】
つまり、回転楕円体状筐体２では、左スピーカ５Ａ及び右スピーカ５Ｂが近似的に点音源となり、これら左スピーカ５Ａ及び右スピーカ５Ｂから出力されるステレオ音声が、あたかも無指向性のように、回転楕円体状筐体２を中心として周辺の空間へ放射状に滑らかに広がっていることが解る。そしてかかるステレオスピーカ装置１では、左スピーカ５Ａ及び右スピーカ５Ｂが近接配置されているため、聴取位置が当該ステレオスピーカ装置１の前面や、左スピーカ５Ａ及び右スピーカ５Ｂの振動板の前面から外れても、当該左スピーカ５Ａ及び右スピーカ５Ｂの双方から放射される音波の伝達時間や音圧レベルは変化しない。振動板の前面からずれても、すなわち、ステレオスピーカ装置１は、聴取位置を限定することなく、前後左右どの位置からでも、聴取者に対してステレオ音声を聴かせることができる。
【００３３】
ところで本実施の形態によるステレオスピーカ装置１では、筐体の形状を略回転楕円体としたが、筐体形状の違いによる音圧レベル分布の比較のために、以下には、図２４乃至図３８を用い、略直方体でなる筐体（以下、これを直方体状筐体と呼ぶ）１５近辺の空間の音圧レベル分布の測定結果について説明する。因みに直方体状筐体１５は、筐体長手方向に沿った一端から他端までの長さが９４［ｍｍ］（すなわち、回転楕円体状筐体２の左端から右端までの長さとほぼ同じ）であり、当該一端及び他端の端面がそれぞれ一辺を５９．２［ｍｍ］（すなわち、回転楕円体状筐体２における筐体中央部３の筐体中心軸周りの最大外径（５９．２［ｍｍ］）とほぼ同じである）とする正方形に形成され、その一端及び他端に、回転楕円体状筐体２の左スピーカ５Ａ及び右スピーカ５Ｂと同じ左スピーカ及び右スピーカがそれぞれ振動板の前面を外側に向けて設けられている。なお直方体状筐体１５近辺の空間の音圧レベル分布について説明する場合も、説明の便宜上、当該直方体状筐体１５の一端から他端へ向かう方向をｘ方向、下端から上端へ向かう方向をｙ方向、後面から前面へ向かう方向をｚ方向と定義する。
【００３４】
また図２４乃至図３８に示す直方体状筐体１５近辺の空間の音圧レベル分布は、測定周波数１０［ｋＨｚ］、５［Ｈｚ］、２［ｋＨｚ］、１［ｋＨｚ］及び５００［Ｈｚ］毎に測定して得られたものである。さらに図２４乃至図３８は、直方体状筐体１５前後の空間の音圧レベル分布を測定周波数毎に直方体状筐体１５を中心としたｙｚ平面で示すと共に、当該直方体状筐体１５左右の空間の音圧レベル分布を測定周波数毎に直方体状筐体１５を中心としたｘｙ平面で示し、さらに直方体状筐体１５周囲の空間の音圧レベル分布を測定周波数毎に直方体状筐体１５を中心としたｚｘ平面で示している。
【００３５】
直方体状筐体１５に対する測定結果によれば、測定周波数が５００［Ｈｚ］の低音域の音圧レベル分布は、音波の波長に比べて、左スピーカ及び右スピーカや筐体のサイズ、左スピーカ及び右スピーカ間の距離等が回転楕円体状筐体２の場合とほぼ同様に比較的小さいため、当該回転楕円体状筐体２における低音域の音圧レベル分布とさほど違いは認められない。しかしながら測定周波数が１［ｋＨｚ］及び２［ｋＨｚ］の中音域から５［ｋＨｚ］及び１０［ｋＨｚ］の高音域での音圧レベルは、測定周波数が高いほど、線状に比較的高くなる部分が顕著に増える（すなわち、音波に対するビーム状の指向性の強い部分が顕著に現れる）。そして、かかる中音域及び高音域での音圧レベル分布を見ると、回転楕円体状筐体２の場合とは異なり、直方体状筐体１５近辺の空間では、当該直方体状筐体１５を中心とした特定方向に音圧レベルの高い部分が偏っている。つまり、直方体状筐体１５では、筐体表面に角部が存在するため、左スピーカ及び右スピーカから放射された音波がかかる角部で強めあい又は弱めあうことで、特定方向に、音波に対するビーム状の指向性が偏って現れる。その結果、直方体状筐体１５では、これら左スピーカ及び右スピーカから出力されるステレオ音声が直方体状筐体１５の周囲の空間に滑らかには広がらず、従来と同様にステレオ音声の聴取位置が限定されることが解る。
【００３６】
このように、このステレオスピーカ装置１は、中空回転楕円体でなる回転楕円体状筐体２の長軸方向の一端（左端）及び他端（右端）に、それぞれ回転楕円体状筐体２の外側に振動板の前面を向けた左スピーカ５Ａ及び右スピーカ５Ｂを取り付けた形状、つまり、左スピーカ５Ａの振動板の周縁からこの振動板の後方に延びる滑らかな曲面で形成されるほぼ半回転楕円体のバフルと、右スピーカ５Ｂの振動板の周縁からこの振動板の後方に延びる滑らかな曲線で形成されるほぼ半回転楕円体のバフルとを継目なく繋げた形状を有することにより、左スピーカ５Ａ及び右スピーカ５Ｂから出力する音声を、回転楕円体状筐体２の表面で回折させることなく、回転楕円体状筐体２を中心として周辺の空間へ放射状に滑らかに広げることができる。
【００３７】
また、このステレオスピーカ装置１では、テーブル等に載上される場合、回転楕円体状筐体２の外周にわずかに突出するように円環状の左側筐体支持部６Ａ及び右側筐体支持部６Ｂを設けたことにより、これら左側筐体支持部６Ａ及び右側筐体支持部６Ｂ上の２点を載上面に接触させて、この２点で回転楕円体状筐体２を載上面から僅かに浮かせた状態で支持することができ、この結果、載上面と接触する部分を極力小さくして回転楕円体状筐体２自体の振動を載上面に伝わりにくくすることもできる。
【００３８】
さらに、このように左側筐体支持部６Ａ及び右側筐体支持部６Ｂにより回転楕円体状筐体２を載上面から僅かに浮かせた状態で支持し得るので、左スピーカ５Ａ及び右スピーカ５Ａの振動板の位置を載上面に極力近付けることができ、この結果得られる載上面のバフル効果を利用して、左スピーカ５Ａ及び右スピーカ５Ａから出力する音声、特に低音を強調することもできる。この結果、このステレオスピーカ装置１では、低音の再現性が乏しい小型スピーカを用いても、バフル効果により低音の再現性を向上させることができるので、小型化と音質向上とを両立することができる。
【００３９】
以上の構成によれば、このステレオスピーカ装置１は、回転楕円体でなる回転楕円体状筐体２と、回転楕円体状筐体２の長軸方向の左端部にこの回転楕円体状筐体２の外側へ振動板の前面を向けて取り付けた左スピーカ５Ａと、回転楕円体状筐体２の長軸方向の右端部にこの回転楕円体状筐体２の外側へ振動板の前面を向けて取り付けた右スピーカ５Ｂとを設けるようにしたことにより、左スピーカ５Ａ及び右スピーカ５Ｂがほぼ点音源となり、これら左スピーカ５Ａ及び右スピーカ５Ｂから出力する音声を、回転楕円体状筐体２を中心として周辺の空間へ放射状に滑らかに広げることができるので、回転楕円体状筐体２周辺のどの位置からでも聴取者に対して良好な音声を聴かせることができる。
【００４０】
（４）他の実施の形態
なお上述の実施の形態においては、ステレオスピーカ装置１の筐体の外形を回転楕円体状とした場合について述べたが、本発明はこれに限らず、筐体の外形を、前後方向（すなわち、ｚ方向及びこれとは逆の方向）から見て楕円形ではなく円形又は長楕円形としても良く、さらに左右方向（すなわち、ｘ方向及びこれとは逆の方向）から見て正円ではなく楕円形又は長楕円形としても良い。つまりステレオスピーカ装置１の筐体としては、左スピーカ５Ａ及び右スピーカ５Ｂの振動板から放射された音波が滑らかに広がるように、表面に角部を有しない形状であれば良い。
【００４１】
また上述の実施の形態においては、第１のスピーカ及び第２のスピーカとしての左スピーカ５Ａ及び右スピーカ５Ｂを、筐体中央部３の左側開口３Ａ及び右側開口３Ｂから、振動板の前面を露出させるように筐体中央部３に取り付けて、左スピーカ５Ａの振動板及び右スピーカ５Ｂの振動板の中心軸（以下、これを振動板中心軸とも呼ぶ）と回転楕円体状筐体２の筐体中心軸とをほぼ一致させるようにした場合について述べたが、本発明はこれに限らず、左スピーカ５Ａ及び右スピーカ５Ｂの振動板中心軸を、回転楕円体状筐体２の筐体中心軸から平行にずらした軸上に位置させても良い。すなわち、例えば図３９に示すように、筐体中心軸から下方に平行にずらした軸上に左スピーカ５Ａ及び右スピーカ５Ｂの振動板中心軸を位置させるようにしても良く、このような位置に振動板中心軸を位置させることで、左スピーカ５Ａ及び右スピーカ５Ｂの振動板を、テーブル等の載上面に一段と近付けることができ、この結果、バフル効果をより高めることができる。
【００４２】
これに加えて、筐体中心軸に対して振動板中心軸の角度を傾けても良い。すなわち、例えば図４０に示すように、垂直な振動板の前面が約３０度下方に向くように振動板中心軸の角度を傾けても良い。この場合、載上面に反射される音が多くなり、結果として、バフル効果をより高めることができる。このように、左スピーカ５Ａの振動板及び右スピーカ５Ｂの振動板は、回転楕円体状筐体２の左端部表面及び右端部表面に沿うようにして設けられていれば、必ずしも、振動板中心軸が筐体中心軸と一致していなくても良く、このような場合でも、上述の実施の形態と同様の効果を得ることができる。
【００４３】
さらに上述の実施の形態においては、筐体中央部３の内部に２枚の仕切板８Ａ及び８Ｂを設けて、筐体中央部３の内部を３室に区切るようにした場合について述べたが、本発明はこれに限らず、１枚、あるいは３枚以上の仕切板を設けても良い。つまり、例えば図４１に示すように、筐体中央部３の内部に、中心点を通り筐体中心軸を垂線とする１枚の仕切板２０を設けても良い。この場合、筐体中央部３の内部は、仕切板２０により、仕切板２０の左側に位置する左側格納室２１Ａ、及び仕切板２０の右側に位置し左側格納室２１Ａと同じ大きさでなる右側格納室２１Ｂに区切られ、左側格納室２１Ａに左側スピーカ５Ａが格納され、右側格納室２１Ｂに右側スピーカ５Ａが格納される。このような構成は、例えば、アンプ等の回路部１０を内蔵しないステレオスピーカ装置に適用することができる。つまり、外部のアンプから供給される増幅されたステレオ音声信号を、直接左スピーカ５Ａ及び右スピーカ５Ｂに送出すれば良い。またこの場合、重り７は、図示しないが、例えば、左側格納室２１Ａ及び右側格納室２１Ｂのそれぞれに分けて設けるようにすれば良い。
【００４４】
さらに上述の実施の形態においては、筐体中央部３の外周を一周するように突出させた円環状で同形の左側筐体支持部６Ａ及び右側筐体支持部６Ｂにより筐体中央部３を支持するようにした場合について述べたが、本発明はこれに限らず、筐体中央部３の表面から突出する形状であれば、この他種々の形状でなる支持部で筐体中央部３を支持するようにしてもよい。つまり、例えば、図４２（Ａ）及び（Ｂ）に示すように、筐体中央部３の下端の表面に、３個の半球体の支持部３０Ａ、３０Ｂ及び３０Ｃを、それぞれが三角形の頂点に位置するように間隔を空けて設け、これら３個の支持部３０Ａ、３０Ｂ及び３０Ｃで、筐体中央部３を支持するようにしても良い。また、例えば図４３（Ａ）及び（Ｂ）に示すように、筐体中央部３の下端の表面に、載上面と接触する部分が載上面と平行な面になるような２枚の支持板３１Ａ及び３１Ｂを設け、これら２枚の支持板３１Ａ及び３１Ｂで筐体中央部３を支持するようにしても良い。そしてかかる構成の場合、ステレオスピーカ装置では、載上面との接触面積が極力小さく、かつ筐体中心軸と平行な方向に沿って並ぶ少なくとも２つの接触部分を有する支持部を設けることにより、左スピーカ５Ａ及び右スピーカ５Ｂの振動板が振動して音波を放射しても、当該ステレオスピーカ装置自体を動かないようにすることができる。
【００４５】
さらに上述の実施の形態においては、アンプ内蔵のステレオスピーカ装置１に本発明を適用した場合について述べたが、本発明はこれに限らず、回路部１０に、例えば、ＭＰ３（MPEG Audio Layer-3）、又はＡＴＲＡＣ３（Adaptive TRansform Acoustic Coding 3）等のフォーマットで圧縮符号化された圧縮音声データを記録する不揮発性メモリ、又はハードディスクドライブ等の記録デバイスと、この記録デバイスから読み出した圧縮音声データに対してデコード処理、デジタルアナログ変換処理、増幅処理等の再生処理を施して音声信号に変換し、この変換した音声信号を左スピーカ５Ａ及び右スピーカ５Ｂに送出する再生処理デバイスとを実装した、ステレオスピーカ内蔵の再生装置に本発明を適用するようにしても良い。また本発明は、回路部１０に、外部の送信機から有線通信や、電波及び赤外線等の無線通信によって送信された音楽データを受信して復調処理等の受信処理を施して音声信号に変換し、当該変換した音声信号を左スピーカ５Ａ及び右スピーカ５Ｂに送出する受信再生処理デバイスを実装した、ステレオスピーカ内蔵の再生装置に本発明を適用するようにしても良い。かかる構成の場合、音声データに対する変復調方式としては、アナログ方式又はデジタル方式の何れを用いても良い。ここで、これら記録デバイス及び再生処理デバイスや、受信再生処理デバイスを実装した回路部１０の動作については、従来の一般的な再生装置と同様であるので説明を省略する。
【００４６】
さらに上述の実施の形態においては、２チャンネルのステレオ音声を出力するステレオスピーカ装置１に本発明を適用した場合について述べたが、本発明はこれに限らず、例えば、モノラル音声を出力するモノラルスピーカ装置等に適用するようにしても良い。
【００４７】
さらに上述の実施の形態においては、スピーカグリルとして機能する、十時型の格子を円蓋状に折り曲げた形状の筐体左端部４Ａ及び筐体右端部４Ｂを用いた場合について述べたが、本発明はこれに限らず、スピーカグリルとして機能するのであれば、この他種々の形状でなる筐体左端部４Ａ及び筐体右端部４Ｂを用いるようにしても良い。
【００４８】
さらに上述の実施の形態においては、左側筐体支持部６Ａ及び右側筐体支持部６Ｂの素材として、ゴム、又はシリコン等の弾性体を用いて筐体中央部３と載上面との緩衝材として機能させた場合について述べたが、本発明はこれに限らず、筐体中央部３と載上面との接触面積を小さくでき、ステレオスピーカ装置１の振動を載上面に伝えにくくするものであれば、金属やプラスチック等のように、この他種々の素材を用いても良い。
【００４９】
さらに上述の実施の形態においては、一例として、図３に示すような外径寸法でなるステレオスピーカ装置１に本発明を適用した場合について述べたが、本発明はこれに限らず、この他種々の外径寸法でなるステレオスピーカ装置１に本発明を適用するようにしても良い。
【産業上の利用可能性】
【００５０】
本発明は、ステレオ用のスピーカを有するスピーカ装置や、ステレオ用のスーカと共に音楽データの再生機能や受信機能を有する再生装置等のように、様々なスピーカ装置及び再生装置に広く利用することができる。
【図面の簡単な説明】
【００５１】
【図１】ステレオスピーカ装置の外観構成を示す略線図である。
【図２】ステレオスピーカ装置の内部構成を示す略線図である。
【図３】ステレオスピーカ装置の外径寸法を示す略線図である。
【図４】回転楕円体状筐体表面の音圧レベル（周波数：１０ｋＨｚ）を示す略線図である。
【図５】回転楕円体状筐体表面の音圧レベル（周波数：５ｋＨｚ）を示す略線図である。
【図６】回転楕円体状筐体表面の音圧レベル（周波数：２ｋＨｚ）を示す略線図である。
【図７】回転楕円体状筐体表面の音圧レベル（周波数：１ｋＨｚ）を示す略線図である。
【図８】回転楕円体状筐体表面の音圧レベル（周波数：５００Ｈｚ）を示す略線図である。
【図９】回転楕円体状筐体近辺の空間の音圧レベル（ｙｚ平面、周波数：１０ｋＨｚ）を示す略線図である。
【図１０】回転楕円体状筐体近辺の空間の音圧レベル（ｘｙ平面、周波数：１０ｋＨｚ）を示す略線図である。
【図１１】回転楕円体状筐体近辺の空間の音圧レベル（ｚｘ平面、周波数：１０ｋＨｚ）を示す略線図である。
【図１２】回転楕円体状筐体近辺の空間の音圧レベル（ｙｚ平面、周波数：５ｋＨｚ）を示す略線図である。
【図１３】回転楕円体状筐体近辺の空間の音圧レベル（ｘｙ平面、周波数：５ｋＨｚ）を示す略線図である。
【図１４】回転楕円体状筐体近辺の空間の音圧レベル（ｚｘ平面、周波数：５ｋＨｚ）を示す略線図である。
【図１５】回転楕円体状筐体近辺の空間の音圧レベル（ｙｚ平面、周波数：２ｋＨｚ）を示す略線図である。
【図１６】回転楕円体状筐体近辺の空間の音圧レベル（ｘｙ平面、周波数：２ｋＨｚ）を示す略線図である。
【図１７】回転楕円体状筐体近辺の空間の音圧レベル（ｚｘ平面、周波数：２ｋＨｚ）を示す略線図である。
【図１８】回転楕円体状筐体近辺の空間の音圧レベル（ｙｚ平面、周波数：１ｋＨｚ）を示す略線図である。
【図１９】回転楕円体状筐体近辺の空間の音圧レベル（ｘｙ平面、周波数：１ｋＨｚ）を示す略線図である。
【図２０】回転楕円体状筐体近辺の空間の音圧レベル（ｚｘ平面、周波数：１ｋＨｚ）を示す略線図である。
【図２１】回転楕円体状筐体近辺の空間の音圧レベル（ｙｚ平面、周波数：５００Ｈｚ）を示す略線図である。
【図２２】回転楕円体状筐体近辺の空間の音圧レベル（ｘｙ平面、周波数：５００Ｈｚ）を示す略線図である。
【図２３】回転楕円体状筐体近辺の空間の音圧レベル（ｚｘ平面、周波数：５００Ｈｚ）を示す略線図である。
【図２４】直方体状筐体近辺の空間の音圧レベル（ｙｚ平面、周波数：１０ｋＨｚ）を示す略線図である。
【図２５】直方体状筐体近辺の空間の音圧レベル（ｘｙ平面、周波数：１０ｋＨｚ）を示す略線図である。
【図２６】直方体状筐体近辺の空間の音圧レベル（ｚｘ平面、周波数：１０ｋＨｚ）を示す略線図である。
【図２７】直方体状筐体近辺の空間の音圧レベル（ｙｚ平面、周波数：５ｋＨｚ）を示す略線図である。
【図２８】直方体状筐体近辺の空間の音圧レベル（ｘｙ平面、周波数：５ｋＨｚ）を示す略線図である。
【図２９】直方体状筐体近辺の空間の音圧レベル（ｚｘ平面、周波数：５ｋＨｚ）を示す略線図である。
【図３０】直方体状筐体近辺の空間の音圧レベル（ｙｚ平面、周波数：２ｋＨｚ）を示す略線図である。
【図３１】直方体状筐体近辺の空間の音圧レベル（ｘｙ平面、周波数：２ｋＨｚ）を示す略線図である。
【図３２】直方体状筐体近辺の空間の音圧レベル（ｚｘ平面、周波数：２ｋＨｚ）を示す略線図である。
【図３３】直方体状筐体近辺の空間の音圧レベル（ｙｚ平面、周波数：１ｋＨｚ）を示す略線図である。
【図３４】直方体状筐体近辺の空間の音圧レベル（ｘｙ平面、周波数：１ｋＨｚ）を示す略線図である。
【図３５】直方体状筐体近辺の空間の音圧レベル（ｚｘ平面、周波数：１ｋＨｚ）を示す略線図である。
【図３６】直方体状筐体近辺の空間の音圧レベル（ｙｚ平面、周波数：５００Ｈｚ）を示す略線図である。
【図３７】直方体状筐体近辺の空間の音圧レベル（ｘｙ平面、周波数：５００Ｈｚ）を示す略線図である。
【図３８】直方体状筐体近辺の空間の音圧レベル（ｚｘ平面、周波数：５００Ｈｚ）を示す略線図である。
【図３９】他の実施の形態におけるステレオスピーカ装置の内部構成（１）を示す略線図である。
【図４０】他の実施の形態におけるステレオスピーカ装置の内部構成（２）を示す略線図である。
【図４１】他の実施の形態におけるステレオスピーカ装置の内部構成（３）を示す略線図である。
【図４２】他の実施の形態における筐体支持部の構成（１）を示す略線図である。
【図４３】他の実施の形態における筐体支持部の構成（２）を示す略線図である。
【符号の説明】
【００５２】
１……ステレオスピーカ装置、２……回転楕円体状筐体、３……筐体中央部、４Ａ……筐体左端部、４Ｂ……筐体右端部、５Ａ……左スピーカ、５Ｂ……右スピーカ、６Ａ……左側筐体支持部、６Ｂ……右側筐体支持部、７……重り、８Ａ……左側仕切板、８Ｂ……右側仕切板、９Ａ……中央格納室、９Ｂ、２１Ａ……左側格納室、９Ｃ、２１Ｂ……右側格納室、１０……回路部、２０……仕切板、３０Ａ、３０Ｂ、３０Ｃ、３１Ａ、３１Ｂ……筐体支持部。
【図１】
2006345466.tif 000003
【図２】
2006345466.tif 000004
【図３】
2006345466.tif 000005
【図３９】
2006345466.tif 000006
【図４０】
2006345466.tif 000007
【図４１】
2006345466.tif 000008
【図４２】
2006345466.tif 000009
【図４３】
2006345466.tif 000010
【図４】
2006345466.tif 000011
【図５】
2006345466.tif 000012
【図６】
2006345466.tif 000013
【図７】
2006345466.tif 000014
【図８】
2006345466.tif 000015
【図９】
2006345466.tif 000016
【図１０】
2006345466.tif 000017
【図１１】
2006345466.tif 000018
【図１２】
2006345466.tif 000019
【図１３】
2006345466.tif 000020
【図１４】
2006345466.tif 000021
【図１５】
2006345466.tif 000022
【図１６】
2006345466.tif 000023
【図１７】
2006345466.tif 000024
【図１８】
2006345466.tif 000025
【図１９】
2006345466.tif 000026
【図２０】
2006345466.tif 000027
【図２１】
2006345466.tif 000028
【図２２】
2006345466.tif 000029
【図２３】
2006345466.tif 000030
【図２４】
2006345466.tif 000031
【図２５】
2006345466.tif 000032
【図２６】
2006345466.tif 000033
【図２７】
2006345466.tif 000034
【図２８】
2006345466.tif 000035
【図２９】
2006345466.tif 000036
【図３０】
2006345466.tif 000037
【図３１】
2006345466.tif 000038
【図３２】
2006345466.tif 000039
【図３３】
2006345466.tif 000040
【図３４】
2006345466.tif 000041
【図３５】
2006345466.tif 000042
【図３６】
2006345466.tif 000043
【図３７】
2006345466.tif 000044
【図３８】
2006345466.tif 000045